(57)【要約】      （修正有）【課題】使用者がその用途に応じて随時重量を変更調節することができると共に、運動時（歩行時）において異音の発生がなく、且つ、足に金属棒のガタつきに伴う振動が伝わることがない重量調整可能な靴を提供する。【解決手段】ミッドソール２に外側面から内方に向かう装填孔５を穿設し、装填孔５内に装填孔５に対応する形状の磁性材製の錘７を装脱可能にすると共に、装填孔５を、永久磁石を埋設したキャップ３で閉塞可能にし、その閉塞時において装填孔５内に装填された錘７が永久磁石に吸着されるようにした。【選択図】図１
0003183540.tif 000002
【実用新案登録請求の範囲】
【請求項１】
ミッドソールに外側面から内方に向かう装填孔を穿設し、前記装填孔内に前記装填孔に対応する形状の金属製の錘を装脱可能にすると共に、前記装填孔を、磁石を埋設したキャップで閉塞可能にし、その閉塞時において前記装填孔内に装填された前記錘が前記磁石に吸着されるようにしたことを特徴とする重量調整可能な靴。
【請求項２】
前記装填孔内に樹脂製の鞘管を嵌装し、前記錘を前記鞘管内に収装するようにした、請求項１に記載の重量調整可能な靴。
【請求項３】
前記装填孔を複数設けた、請求項１又は２に記載の重量調整可能な靴。
【請求項４】
前記鞘管の内側面と、前記キャップの前記鞘管内嵌入部分の側面とに、互いに係止し合って前記キャップの脱落を防止する脱落防止手段を設けた、請求項２又は３に記載の重量調整可能な靴。
【請求項５】
前記錘として重量の異なるものが複数用意された、請求項１乃至４のいずれかに記載の重量調整可能な靴。
【考案の詳細な説明】
【技術分野】
【０００１】
本考案は重量調整可能な靴、より詳細には、靴の重量を使用者が随時変更調整することができ、平時には軽量の状態で着用し、トレーニング時は重量を増した状態で着用するといった使用法が可能な重量調整可能な靴に関するものである。
【背景技術】
【０００２】
近年、ダイエットやトレーニングは、何か他の行動をとりながら行うことが一般的となってきている。そのため、日常的な行動をとりながら、ダイエットやトレーニングを行うことができることが好ましく、そのことを可能にする商品が求められている。例えば、通常の外出時において履く靴につき、靴の重量を自由に増加させることが可能であれば、出勤時や散歩時等に、通常の歩行よりも脚の筋力を鍛えるトレーニングを行うことが可能となるのである。
【０００３】
従来、このようなことを可能にするものとして、実用新案登録第３０９２５４４号公報に記載の靴が提案されている。この考案に係る靴は、甲皮と中敷きと中間敷きとから成り、その中敷きと中間敷きとの間にスポンジが取り付けられた運動靴において、中間敷きの内部に空間部が形成され、この空間部を横切るようにして一定の間隔で管が挿入され、その管内に金属棒が装脱可能にされて成るものである。
【０００４】
しかるに、この考案に係る靴の場合は、金属棒を管内に挿入した後、単に管に栓をするだけのものであって、金属棒は管内においてフリーな状態となっているために、使用時にガタついてカタカタという異音を発生させ、また、そのガタつきに伴う振動が運動時（歩行時）に足に伝わって、使用者に不快感、違和感を感じさせるおそれがある。
【先行技術文献】
【特許文献】
【０００５】
【特許文献１】実用新案登録第３０９２５４４号公報
【考案の概要】
【考案が解決しようとする課題】
【０００６】
上述したように、従来の重量調整可能な靴の場合には、運動時（歩行時）に金属棒がガタついて異音を発生させ、また、ガタつきに伴う振動が足に伝わって不快感を惹起するおそれがあった。そこで本考案は、使用者がその用途に応じて随時重量を変更調節することができると共に、運動時（歩行時）において異音の発生がなく、且つ、足に金属棒のガタつきに伴う振動が伝わることがない重量調整可能な靴を提供することを課題とする。
【課題を解決するための手段】
【０００７】
上記課題を解決するための請求項１に記載の考案は、ミッドソールに外側面から内方に向かう装填孔を穿設し、前記装填孔内に前記装填孔に対応する形状の金属製の錘を装脱可能にすると共に、前記装填孔を、磁石を埋設したキャップで閉塞可能にし、その閉塞時において前記装填孔内に装填された前記錘が前記磁石に吸着されるようにしたことを特徴とする重量調整可能な靴である。
【０００８】
一実施形態においては、前記装填孔内に樹脂製の鞘管を嵌装し、前記錘を前記鞘管内に収装するようにし、また、前記装填孔を複数設けることとする。また、一実施形態においては、前記鞘管の内側面と、前記キャップの前記鞘管内嵌入部分の側面とに、互いに係止し合って前記キャップの脱落を防止する脱落防止手段を設け、また、前記錘として重量の異なるものが複数用意される。
【考案の効果】
【０００９】
本考案に係る重量調整可能な靴によれば、錘は、その装填孔（鞘管）内装填時においてキャップに埋設される磁石に吸着されるため、運動時（歩行時）等において振動を受けた際に装填孔（鞘管）内においてガタつくことはなく、ガタつくことによって異音が発生したり、足に振動が伝わって不快感を感じさせることがないという効果がある。
【図面の簡単な説明】
【００１０】
【図１】本考案に係る重量調整可能な靴の、キャップ及び錘を取り外した状態の分解斜視図である。
【図２】本考案に係る重量調整可能な靴の要部を示す拡大断面図である。
【考案を実施するための形態】
【００１１】
本考案を実施するための形態につき、添付図面に依拠して説明する。本考案に係る重量調整可能な靴は、ミッドソールに外側面から内方に向かう装填孔を穿設し、前記装填孔内に前記装填孔に対応する形状の金属製の錘を装脱可能にすると共に、前記装填孔を、磁石を埋設したキャップで閉塞可能にし、その閉塞時において前記装填孔内に装填された前記錘が前記磁石に吸着されるようにしたことを特徴としている。
【００１２】
図１は、本考案に係る重量調整可能な靴１の要部の構成例を示す分解斜視図であり、そこには、ミッドソール２からキャップ３を外し、錘７を取り出した状態が示されている。本考案の対象となる靴１は、主に、ミッドソール２が厚いスニーカタイプのものであるが、それに限定されるものではない。
【００１３】
キャップ３は、ヘッド３ａと太径部３ｂと縮径部３ｃとから成り、縮径部３ｃ内に永久磁石４が埋設される。図示した実施形態においては、永久磁石４はその全体が被覆され、永久磁石４に当接する磁性材製の吸着部材４ａが縮径部３ｃ内の端面から露出するように構成されている。もちろん、吸着部材４ａを用いることなく、永久磁石４を直接露出させることとしてもよい。また、縮径部３ｃの外側面に、一対の係止突子３ｄが設けられる。
【００１４】
ミッドソール２には、錘７を装填するための装填孔５が、その外側面から適宜深さに穿設される。通例、装填孔５は断面円形に形成されるが、それに限られる訳ではなく、角孔とすることもできる。その穿設位置は、通例、厚みのある踵部とされるが、他の部分に配置してもよい。また、装填孔５は１つとは限らず、複数並設することとしてもよい（図１には２個設けた場合が示されている）。
【００１５】
好ましい実施形態においては、装填孔５の内壁を保護し、また、錘７の挿入をスムーズにするために、装填孔５内に硬質樹脂製の鞘管６が嵌装される。鞘管６は、装填孔５の入口から少し奥に引っ込めて装填され、その端面がキャップ３の太径部３ｂを受けるようにされる（図２参照）。
【００１６】
図示した実施形態においては、係止突子３ｄを含む縮径部３ｃの挿入を可能にするために、装填孔５及び鞘管６の入口部分が、真円ではなく少し横長形状に形成され、また、縮径部３ｃを奥まで挿入した際に、係止突子３ｄが鞘管６内に設けられた段部６ａに当接するようにされている。そして、間隔が狭まる上下位置の段部６ａ手前の鞘管６の内壁に、係止突子３ｄが収まる凹陥部６ｂが形成される。
【００１７】
その場合は、鞘管６内に錘７を装填した後、係止突子３ｄを左右位置にして縮径部３ｃを鞘管６内に挿入し、係止突子３ｄが段部６ａに当たったところでキャップ３を回転させる。すると、係止突子３ｄは段部６ａに摺接しつつ移動していくが、係止突子３ｄが間隔が狭まる上下位置に近付くにつれて回転がきつくなる。そこで、更に力を加えて回転を続けると、係止突子３ｄは上下位置に至って凹陥部６ｂ内に収まり（図２に示す状態）、更に大きな力を加えて係止突子３ｄを凹陥部６ｂから脱出させない限り、キャップ３は回転することなくその状態を維持し、装填孔５から抜けることはない。
【００１８】
このようにして装填孔５内にキャップ３を嵌め付けるに伴い、鞘管６内に装填した錘７は吸着部材４ａを介して永久磁石４に吸着固定されるため、鞘管６内においてガタつくおそれはない。なお、係止突子３ｄが凹陥部６ｂから不用意に外れることを確実に防止するために、凹陥部６ｂの両側に隆起部を設けることが推奨される。錘７を抜き取ったり交換したりする場合は、ある程度の力でキャップ３を回転させて、係止突子３ｄを強制的に凹陥部６ｂから脱出させればよい。
【００１９】
装填孔５内からのキャップ３の脱落を防止するための手段は上述したものに限られる訳ではなく、ねじ込み、その他任意の方法を採用し得ることは言うまでもない。
【００２０】
錘７として重さの異なる複数種のものを用意し、選択使用できるようにすることが好ましい。そのために、例えば、長さの異なるものが複数種用意され、あるいは、直径の異なるものが複数種用意される。
【００２１】
本考案に係る重量調整可能な靴１は上記のとおりのものであり、使用者が随時錘７の脱着・交換を行って、自分に合った重量に調節することができ、その作業は非常に簡単である。そして、錘７は、キャップ３に配備される永久磁石４により確固と固定されるため、走行時や歩行時に錘７がガタついて異音を発したり、錘７の動きによる振動が発生したりすることはない。
【００２２】
この考案をある程度詳細にその最も好ましい実施形態について説明してきたが、この考案の精神と範囲に反することなしに広範に異なる実施形態を構成することができることは明白である。従って、この考案は、添付請求の範囲において限定した以外はその特定の実施形態に制約されるものではない。
【符号の説明】
【００２３】
１      靴
２      ミッドソール
３      キャップ
３ａ    ヘッド
３ｂ    太径部
３ｃ    縮径部
３ｄ    係止突子
４      永久磁石
４ａ    吸着部材
５      装填孔
６      鞘管
６ａ    段部
６ｂ    凹陥部
７      錘
【図１】
0003183540.tif 000003
【図２】
0003183540.tif 000004